(57)【要約】【課題】シリンダブロックのシリンダボア間に孔あけ加工すること無くシリンダボア間に冷却水を流通させて、エンジンの冷却効率を高めることができるシリンダヘッドガスケットを提供する。【解決手段】複数のシリンダボア４と冷却水ボア６を備えたシリンダブロック３とシリンダヘッド２との間に介在して適用されるシリンダヘッドガスケット１０において、前記シリンダボア４に対応するシリンダ孔１４と、冷却水ボア６に対応する冷却水孔１６と、隣合うシリンダ孔１４の間に前記冷却水ボア６と連通する冷却水路２６とを形成した基板１１を備えることを特徴とする。【選択図】図１
2008075575.tif 000002
【特許請求の範囲】
【請求項１】
複数のシリンダボアと冷却水ボアを備えたシリンダブロックとシリンダヘッドとの間に介在して適用されるシリンダヘッドガスケットにおいて、
前記シリンダボアに対応するシリンダ孔と、冷却水ボアに対応する冷却水孔と、隣合うシリンダ孔の間に前記冷却水ボアと連通する冷却水路と、を形成した基板を備えることを特徴とするシリンダヘッドガスケット。
【請求項２】
前記冷却水路が、前記基板を貫通する貫通孔であることを特徴とする請求項１に記載のシリンダヘッドガスケット。
【発明の詳細な説明】
【技術分野】
【０００１】
本発明は、エンジンにおけるシリンダブロックとシリンダヘッドとの間に対向面間をシールするために使用されるシリンダヘッドガスケットに関する。
【背景技術】
【０００２】
自動車などに用いられエンジンにおいては、シリンダブロックに複数のシリンダボアが併設され、このシリンダボアの周辺部分には、水、油或いは不凍液等の冷却水が流通するボアが適宜位置に配設されている。このシリンダボアは、シリンダヘッドに形成される燃焼室に連通し、また、冷却水ボアは、オープンデッキタイプの場合シリンダヘッド側の冷却水ボアにも連通するよう、シリンダブロックとシリンダヘッドとが組立てられる。
【０００３】
そのため、シリンダブロックとシリンダヘッドとの間に挟持されるシリンダヘッドガスケットには、基板となる弾性金属板にシリンダボアに対応するシリンダ孔と、冷却水ボアに対応する冷却水孔がそれぞれ形成され、これらのシリンダ孔及び冷却水孔の周囲近傍には、燃焼ガス及び冷却水をより効果的に密封する為にビード部等が形成される。
【０００４】
ところで、最近のエンジンは、高効率化、高出力化が求められていることから、気筒数を増して多気筒としたり、混合ガスの燃焼温度を高くなる傾向がある。またエンジン設計上、コンパクト化に伴なって燃焼室の間隔であるシリンダボア間が小さくなる結果、燃焼室の周辺部分がより高温にさらされるため、エンジンの冷却効率を高める必要がある。
【０００５】
従来、金属板製の２枚の主板の間に、シリンダボア周辺部に厚さが厚いリング状のストッパーを設けた金属板製の副板を挿入した積層ガスケットにおいて、２枚の主板の外側面にそれぞれミクロシール材をコーティングすると共に、副板のストッパーを除く部分の金属板の両面にミクロシール材をコーティングしたシリンダヘッドガスケットを用いることでシリンダブロックの熱をシリンダヘッド側へ効率よく伝導し、エンジンの冷却効率を高めたシリンダヘッドガスケットが提案されている（例えば、特許文献１参照）。
【０００６】
しかしながら、このようなシリンダヘッドガスケットでは、特に、高温になりやすいボア間に冷却水を流通させることができず、燃焼室間の部分を充分に冷却できない問題がある。
【０００７】
そこで、下記特許文献２には、シリンダブロックのシリンダボア間の壁部に冷却水を流通させる冷却水路を穿設したエンジンのシリンダブロックが提案されているが、このようなシリンダブロックでは、シリンダボア間の間隔が狭くなるとシリンダボア間の壁部に冷却水路を穿設するのが困難となる問題がある。
【特許文献１】特開平９−１１２６９８号公報
【特許文献２】特開２００２−７０６３９号公報
【発明の開示】
【発明が解決しようとする課題】
【０００８】
本発明は上記問題に鑑みてなされたもので、シリンダボア間の壁部に孔あけ加工すること無く、高温になりやすいシリンダボア間に冷却水を流通させることができるシリンダヘッドガスケットを提供することを目的とする。
【課題を解決するための手段】
【０００９】
本発明のシリンダヘッドガスケットは、複数のシリンダボアと冷媒流通ボアを備えたシリンダブロックとシリンダヘッドとの間に介在して適用されるシリンダヘッドガスケットにおいて、前記シリンダボアに対応するシリンダ孔と、冷媒流通ボアに対応する冷却水孔と、隣合うシリンダ孔の間に前記冷媒流通ボアと連通する冷却水路とを形成した基板を備えることを特徴とする。
【００１０】
上記の本発明によれば、隣合うシリンダ孔の間に冷却水路が形成され、シリンダブロックとシリンダヘッドとの間に介在して適用された状態で、冷却水路がシリンダブロックに設けられた冷却水ボアと連通するため、シリンダボア間の壁部に孔あけ加工することなく、シリンダボア間に冷却水を流通させることができる。
【００１１】
また、本発明において、冷却水路は基板を貫通する貫通孔であってもよく、これにより、冷却水路を広く設けることができ、冷却効率を向上させることができる。
【発明の効果】
【００１２】
本発明のシリンダヘッドガスケットによれば、シリンダブロックのシリンダボア間に孔あけ加工すること無く、高温になりやすいシリンダボア間に冷却水を流通させて、エンジンの冷却効率を高めることができる。
【発明を実施するための最良の形態】
【００１３】
以下、本発明の一実施形態について、図面を用いて説明する。
【００１４】
図１は本発明の一実施形態にかかるシリンダヘッドガスケット１０の平面図であり、図２、３は同シリンダヘッドガスケット１０をシリンダブロックとシリンダヘッドとの間に介在させた状態を示す部分断面図であって、図２は図１のＡ−Ａ線に相当する部分断面図であり、図３は図１のＢ−Ｂ線に相当する部分断面図である。
【００１５】
本実施形態のシリンダヘッドガスケット１０は、図１、２に示すように、多気筒エンジン１に適用されるものであって、一対のビード板１２とこれらの間に介挿される中間板１３を備える基板１１からなり、このうち、ビード基板１２は、例えば、ＳＵＳ３０１の金属材料を打ち抜いてビード加工や各種の穴の成形加工等をし、熱処理をして、張り強さ、伸び、硬さを所定の値を満たすように作製したものである。また、中間板１３は、例えば、ＳＵＳ３０１又はＳＥＣＣの金属材料を打ち抜いた後、折返し加工やビード加工等を施し、必要に応じて熱処理を施して作製したものである。
【００１６】
シリンダヘッドガスケット１０におけるビード板１２及び中間板１３には、シリンダヘッド２及びシリンダブロック３に形成された各シリンダボア４に対応してそれぞれシリンダ孔１４が形成されている。また、シリンダヘッド２及びシリンダブロック３に形成された水ジャケットである冷却水ボア６、７に対応した位置に複数の冷却水孔１６が設けられている。更に、ビード板１２及び中間板１３には、締め付けボルトが挿通されるボルト孔２２と潤滑油を通す潤滑油孔２４等が設けられている。
【００１７】
ビード板１２の各シリンダ孔１４のそれぞれ周囲には、中間板１３に向かって陥没している環状ビード部１８が形成されており、これら各環状ビード部１８と冷却水孔１６を取り囲むように外周ビード部２０が形成されている。
【００１８】
シリンダヘッドガスケット１０のビード板１２の表面には、耐熱性及び耐油性を有するゴム（例えば、フッ素ゴム）、樹脂等の非金属材料から成る耐熱性被覆材が塗着されている。耐熱性被覆材は、シリンダヘッド２及びシリンダブロック３に対して金属対金属の接触状態を回避し、耐腐食性や耐久性及び強度を確保している。また、耐熱性被覆材は、シリンダヘッドガスケット１０の機械加工面に凹凸が存在していても、これらの凹凸を埋めて充分なシール機能を果たすようになる。
【００１９】
中間板１３は、一対のビード板１２に形成された環状ビード部１８に挟持されており、シリンダ孔１４の周端部が折り返されグロメット部１５が形成されている。
【００２０】
このようなシリンダヘッドガスケット１０において、ビード板１２及び中間板１３は、図１及び３に示すように、隣合うシリンダ孔１４の間にスリット状の冷却水路２６が穿設されており、この冷却水路２６の両端部２６ａは、シリンダヘッド２及びシリンダブロック３に形成された冷却水ボア６、７と接することで、冷却水路２６が冷却水ボア６、７と連通している。
【００２１】
以上のように、本発明のシリンダヘッドガスケット１０によれば、シリンダボア間に冷媒流通ボア６と連通する空間をシリンダヘッド２、シリンダブロック３及びシリンダヘッドガスケット１０の冷却水路２６により形成することができるため、シリンダブロック３のシリンダボア間の壁部に孔あけ加工すること無く、シリンダボア間に冷却水を流通させることができ、シリンダヘッド２及びシリンダブロック３のシリンダボア間の壁部を冷却することができる。
【００２２】
なお、冷却水路２６を設けるシリンダヘッドガスケット１０は、本実施形態のような、一対のビード板１２の間に中間板１３を介在させてなるものに限定されず、例えば、図４（ａ）のように、シリンダ孔１５の周端部にグロメット部１５ａのない板状をなした中間板１３と、環状ビード部１８が中間板１３より離隔するよう隆起して形成されたビード板１２とを備えるシリンダヘッドガスケットであってもよく、また、図４（ｂ）のように、４枚のビード板１２と板状の中間板１３を積層させたものなど、その構成は特に限定されない。
【００２３】
また、本実施形態では、一対のビード板１２及び中間板１３のそれぞれを貫通する冷却水路２６を穿設したが、例えば、図４（ｃ）に示すように、一方のビード板１２と中間板１３に冷却水路２６ａ、２６ｂを穿設したり、あるいは、図４（ｄ）に示すように、一方のビード板１２のみに冷却水路２６ａを穿設してもよい。
【００２４】
さらにまた、本実施形態では、シリンダ孔１４の間に穿設した冷却水路２６は、直線状に形成されているが、本発明はこれに限定されず、例えば、図５のように、シリンダヘッド２及びシリンダブロック３に形成された冷却水ボア６に接する冷却水路２６の端部２６ａを隣り合うシリンダ孔１４に沿う方向に延びる略V字状に形成してもよく、このように、冷却水ボア６に接する面積を広く確保することで、冷却しボア６中の冷却水が冷却水路２６に流れ込みやすくすることができる。
【図面の簡単な説明】
【００２５】
【図１】本発明の一実施形態に係るシリンダヘッドガスケットを示す平面図である。
【図２】本発明の一実施形態に係るシリンダヘッドガスケットをシリンダブロックとシリンダヘッドとの間に介在させた状態を示す部分断面図であって、図１のＡ−Ａ線に相当する断面図である。
【図３】本発明の一実施形態に係るシリンダヘッドガスケットをシリンダブロックとシリンダヘッドとの間に介在させた状態を示す部分断面図であって、図１のＢ−Ｂ線に相当する断面図である。
【図４】本発明の変更例にかかるシリンダヘッドガスケットの部分断面図である。
【図５】本発明の他の変更例にかかるシリンダヘッドガスケットを示す平面図である。
【符号の説明】
【００２６】
２…シリンダヘッド
３…シリンダブロック
４…シリンダボア
６、７…冷却水ボア
１０…シリンダヘッドガスケット
１１…基板
１２…ビード板
１３…中間板
１４…シリンダ孔
１６…冷却水孔
１８…環状ビード部
２０…外周ビード部
２６…冷却水路
【図１】
2008075575.tif 000003
【図２】
2008075575.tif 000004
【図３】
2008075575.tif 000005
【図４】
2008075575.tif 000006
【図５】
2008075575.tif 000007